(57)【特許請求の範囲】
【請求項１】
パチンコホールの台島に設置される外枠と、
前記外枠に設けられ、遊技者から見て左辺部を中心に前記外枠に対して回動可能な中枠と、
前記中枠に前記中枠の後方に位置して設けられ、遊技盤を支持する取付枠と、
前記取付枠の後方に設けられ、左辺部の軸を中心に前記中枠および前記取付枠のそれぞれに対して回動可能なものであってパチンコ球が充填される賞球タンクを支持するメインセットと、
前記取付枠に前記遊技盤の下方に位置して設けられ、後面が開口する凹部と、
前記取付枠に設けられ、前記凹部の後面を塞ぐ蓋と、
前記蓋のうち前記メインセットの軸と反対側の右側に位置して設けられ、右側面が開口する切欠状の第１の挿通口と、
前記蓋のうち前記メインセットの軸と同一側の左側に位置して設けられ、左側面が開口する切欠状の第２の挿通口と、
前記凹部の内部に収納された第１の部分と前記蓋の第１の挿通口を通して前記蓋の後方に引出された部分であって第１の部分の右側に位置する第２の部分と前記蓋の第２の挿通口を通して前記蓋の後方に引出された部分であって第１の部分の左側に位置する第３の部分を有するものであって、前記第２の部分が前記中枠に固定された電気部品の導線と、
前記凹部の内部に前記第１の挿通口および前記第２の挿通口相互間に位置して設けられ、左側面と右側面と後面が開口するものであって前記導線の第１の部分が後方から挿入された切欠状の挿通口を有する複数のリブと、
前記メインセットに設けられ、前記メインセットが前記取付枠および前記蓋のそれぞれを後方から覆う閉塞状態で前記蓋の第２の挿通口に後方から対向するものであって前記導線の第３の部分が挿入された貫通口を備え、
前記導線の第３の部分は、前記メインセットの貫通口から前記メインセットの後方に引出されて前記メインセットに固定されていることを特徴とするパチンコ機。
【発明の詳細な説明】
【０００１】
【発明の属する技術分野】
本発明は、遊技盤を支える取付枠を備えたパチンコ機に関する。
【０００２】
【発明が解決しようとする課題】
図１０は上記パチンコ機の従来構成を示すものである。ここで、中枠１の後面には取付枠２が固定されている。この取付枠２は遊技盤３を支えるものであり、取付枠２にはヒンジ金具４，４を介してメインセット５が回動可能に装着されている。また、中枠１の後面には、両ヒンジ金具４と反対側の下隅部に位置して発射モータ６が固定されている。この発射モータ６の前方には発射ハンドル７が装着されており、発射ハンドル７が回動操作されると、発射モータ６が作動して打球槌が回動し、上皿内のパチンコ球が遊技盤３内に打出される。
【０００３】
上記構成の場合、メインセット５の後面にヒンジ金具４の反対側に位置して回路基板が固定されており、発射モータ６の導線がメインセット５の後方を通して回路基板にコネクタ接続されている。このため、導線が邪魔になるので、導線をコネクタから取外した後、メインセット５を後方へ開放操作する手間が必要だった。
【０００４】
特開平５−１４６５３９号公報には、導線を機構盤２の下方の中空部内に収納することが記載されている。この構成の場合、導線がヒンジ金具４の反対側から中空部内に挿入された後、ヒンジ金具４側から中空部外へ引出され、回路基板に接続されているので、導線に邪魔されることなくメインセット５を後方へ開放操作できる。しかしながら、導線が中空部内でずれ動いてしまうので、中空部内に複数の導線が収納されている場合には、中空部内で導線相互間が絡まってしまう虞れがある。
【０００５】
本発明は上記事情に鑑みてなされたものであり、その目的は、導線に邪魔されることなくメインセットを容易に開放操作でき、しかも、導線のずれ動きを抑えることができるパチンコ機を提供することにある。
【０００６】
請求項１記載のパチンコ機は、パチンコホールの台島に設置される外枠と、前記外枠に設けられ遊技者から見て左辺部を中心に前記外枠に対して回動可能な中枠と、前記中枠に前記中枠の後方に位置して設けられ遊技盤を支持する取付枠と、前記取付枠の後方に設けられ左辺部の軸を中心に前記中枠および前記取付枠のそれぞれに対して回動可能なものであってパチンコ球が充填される賞球タンクを支持するメインセットと、前記取付枠に前記遊技盤の下方に位置して設けられ後面が開口する凹部と、前記取付枠に設けられ前記凹部の後面を塞ぐ蓋と、前記蓋のうち前記メインセットの軸と反対側の右側に位置して設けられ右側面が開口する切欠状の第１の挿通口と、前記蓋のうち前記メインセットの軸と同一側の左側に位置して設けられ左側面が開口する切欠状の第２の挿通口と、前記凹部の内部に収納された第１の部分と前記蓋の第１の挿通口を通して前記蓋の後方に引出された部分であって第１の部分の右側に位置する第２の部分と前記蓋の第２の挿通口を通して前記蓋の後方に引出された部分であって第１の部分の左側に位置する第３の部分を有するものであって前記第２の部分が前記中枠に固定された電気部品の導線と、前記凹部の内部に前記第１の挿通口および前記第２の挿通口相互間に位置して設けられ左側面と右側面と後面が開口するものであって前記導線の第１の部分が後方から挿入された切欠状の挿通口を有する複数のリブと、前記メインセットに設けられ前記メインセットが前記取付枠および前記蓋のそれぞれを後方から覆う閉塞状態で前記蓋の第２の挿通口に後方から対向するものであって前記導線の第３の部分が挿入された貫通口を備え、前記導線の第３の部分は前記メインセットの貫通口から前記メインセットの後方に引出されて前記メインセットに固定されているところに特徴を有している。
上記手段によれば、導線が取付枠の凹部内に収納されているので、メインセットを導線に邪魔されることなく容易に開放操作できる。しかも、凹部内の導線がリブの挿通口内に挿入され、リブにより支えられている。このため、導線の凹部内でのずれ動きが抑えられるので、凹部内で導線相互間が絡まることが防止される。
【００１０】
【発明の実施の形態】
以下、本発明の一実施例を図１ないし図９に基づいて説明する。まず、図５において、パチンコホールの台島には外枠１１が設置されている。この外枠１１は矩形状の開口部（図示せず）を有するものであり、外枠１１の左辺部にはヒンジ金具１２，１２を介して矩形状の中枠１３が回動可能に装着されている。この中枠１３は外枠１１の開口部を前方から覆うものであり、中枠１３には矩形状の開口部（図示せず）が形成されている。
【００１１】
中枠１３の後面には、図７に示すように、取付枠に相当する合成樹脂製の機構盤１４が固定されている。この機構盤１４は、図６の（ａ）および（ｂ）に示すように、矩形状をなす枠部１４ａと、枠部１４ａの下方に位置する垂直な下方板１４ｂと、枠部１４ａおよび下方板１４ｂを囲うフランジ部１４ｃとを一体形成してなるものであり、フランジ部１４ｃには複数の貫通孔１４ｄが形成されている。これら各貫通孔１４ｄ内には後方からねじ（図示せず）が挿入されており、機構盤１４は、各貫通孔１４ｄ内のねじを中枠１３の後面に締め込むことに伴い中枠１３に固定されている。尚、図６の（ａ）は機構盤１４を前方から示している。また、図６の（ｂ）は機構盤１４を後方から示している。
【００１２】
機構盤１４の枠部１４ａ内には、上端部に位置して垂直な上方板１４ｅが一体形成されている。この上方板１４ｅには横長なリブ１４ｆが一体形成されており、リブ１４ｆと枠部１４ａとで画定された空間部１５内には遊技盤１６が着脱可能に嵌合され、遊技盤１６の前面は中枠１３の開口部を通して前方に露出している。また、機構盤１４には、空間部１５内の各隅部に位置して扇形の遊技盤取付部１４ｇが一体形成されており、遊技盤１６の後面は各遊技盤取付部１４ｇにより後方から支えられている。
【００１３】
下方板１４ｂには、図１の（ａ）に示すように、後方へ突出する壁板１４ｈが一体形成されている。この壁板１４ｈは下方板１４ｂの上端を除く周縁部を囲うものであり、壁板１４ｈと枠部１４ａと下方板１４ｂとの間には、図１の（ｂ）に示すように、後方へ開口する凹部１４ｉが形成されている。この凹部１４ｉは導線収納室に相当するものであり、凹部１４ｉ内には、図１の（ａ）に示すように、横長な板状をなす複数のリブ１４ｊおよび縦長な板状をなす複数のリブ１４ｋが一体形成されている。尚、下方板１４ｂは、遊技盤１６に平行な凹部１４ｉの底板に相当するものである。
【００１４】
凹部１４ｉの後面には、図３に示すように、合成樹脂製の蓋１７が被せられている。この蓋１７は、図２の（ａ）および（ｂ）に示すように、平板状をなすものであり、蓋１７の周縁部には複数の貫通孔１７ａが形成されている。これら各貫通孔１７ａ内には後方からねじ（図示せず）が挿入されており、蓋１７は、各ねじを下方板１４ｂに締め込むことに伴い固定されている。また、中枠１３の前面には、図５に示すように、矩形状の窓枠１８が左辺部を中心に回動可能に装着されている。この窓枠１８には透明なガラス窓１９が組込まれており、ガラス窓１９は遊技盤１６の前面を覆っている。
【００１５】
機構盤１４の枠部１４ａには、図６の（ｂ）に示すように、上下端部に位置して突状のヒンジ部１４ｌが一体形成されており、各ヒンジ部１４ｌ内には、図７に示すように、ヒンジ金具２０の軸２０ａが回動可能に挿入されている。これら各ヒンジ金具２０は、図９の（ａ）に示すように、メインセット２１の側辺部にねじ止めされたものであり、メインセット２１は両ヒンジ金具２０の軸２０ａを中心に機構盤１４に対して回動可能にされ、機構盤１４および蓋１７を後方から覆っている。
【００１６】
メインセット２１は合成樹脂から形成されたものであり、メインセット２１には矩形状の開口部２１ａが形成されている。また、メインセット２１には開口部２１ａを覆う保護カバー（図示せず）が取付けられており、遊技盤１６の後面は保護カバーを通して目で確認可能にされている。また、中枠１３の前面には、図５に示すように、左辺部に位置して横長な矩形状の取付板２６が回動可能に装着されている。この取付板２６の前面には上皿２７が固定されており、上皿２７内にはパチンコ球（図示せず）が貯溜されている。
【００１７】
中枠１３の後面には、図４に示すように、ヒンジ金具２０と反対側の下隅部に位置して発射モータ２８が固定されている。この発射モータ２８は電気部品に相当するものであり、Ａ相およびＢ相のステータコイルを有している。また、発射モータ２８には６端子形のコネクタ２８ａが固定されており、コネクタ２８ａの２個の端子は発射モータ２８のＡ相のステータコイルに接続され、別の２個の端子はＢ相のステータコイルに接続されている。
【００１８】
６本のコード線２９の両端部にはコネクタ３０および３１が接続されている。このうち一方のコネクタ３０は６個の端子を有するものであり、一方のコネクタ３０は発射モータ２８のコネクタ２８ａに嵌合され、一方のコネクタ３０の各端子はコネクタ２８ａの端子に電気的に接続されている。
【００１９】
中枠１３の後面には、発射モータ２８の側方に位置してコントロール基板３２が固定されており、コントロール基板３２にはコネクタ（図示せず）が搭載されている。このコネクタにはコード線２９の他方のコネクタ３１が嵌合されており、コネクタ３１の各端子はコントロール基板３２のコネクタの端子に接続されている。
【００２０】
コネクタ３１の端子には、導線に相当する２本の信号線３３および２本の電源線３４が接続されている。これら各信号線３３および各電源線３４は絶縁被覆を有するコード線からなるものであり、発射モータ２８の各相のステータコイルはコネクタ２８ａ，コード線２９，コントロール基板３２の回路パターン，コネクタ３１を介して両電源線３４に接続されている。
【００２１】
蓋１７には、図２の（ａ）に示すように、ヒンジ金具２０と反対側に位置して挿通口１７ｂが形成されている。この挿通口１７ｂは、ヒンジ金具２０と反対側へ開口する切欠状をなすものであり、図３に示すように、両信号線３３および両電源線３４は挿通口１７ｂを通して凹部１４ｉの内部に挿入されている。また、左右方向へ隣接する縦長な５枚のリブ１４ｋには、図１の（ａ）に示すように、後方へ開口する切欠状の挿通口１４ｍが各々形成されている。これら各挿通口１４ｍは、上下方向の幅寸法が信号線３３および電源線３４の直径寸法に略等しく設定されたものであり、各挿通口１４ｍ内には両信号線３３および両電源線３４が嵌合されている。
【００２２】
凹部１４ｉ内には、ヒンジ金具２０側に位置して縦長な半楕円形状のリブ１４ｎが一体形成されている。このリブ１４ｎは後方へ突出する板状をなすものであり、リブ１４ｎには上述の挿通口１４ｍが形成され、挿通口１４ｍ内には両信号線３３および両電源線３４が嵌合されている。尚、リブ１４ｋおよび１４ｎは導線支持部材に相当するものである。
【００２３】
両信号線３３および両電源線３４の外周面には２個の結束バンド３５が装着されている。これら各結束バンド３５は両信号線３３および両電源線３４を１本に束ねるものであり、ヒンジ金具２０側に位置する結束バンド３５は楕円形状のリブ１４ｎに係止され、ヒンジ金具２０と反対側に位置する結束バンド３５は縦長なリブ１４ｋに係止されている。
【００２４】
蓋１７の前面には、図２の（ａ）に示すように、６個のボス部１７ｃが一体形成されている。これら各ボス部１７ｃは、図２の（ｂ）に示すように、前方へ突出するものであり、挿通口１４ｍ内に挿入され、挿通口１４ｍの後面開口部を閉塞している。また、蓋１７には、ヒンジ金具２０側に位置して縦長な半楕円形状の挿通口１７ｄが形成されている。この挿通口１７ｄの周縁部には半楕円形状のリブ１４ｎが前方から接触しており、凹部１４ｉ内の両信号線３３および両電源線３４は、図３に示すように、蓋１７の挿通口１７ｄを通して後方へ引出されている。
【００２５】
メインセット２１には、図４に示すように、縦長な楕円形状の貫通口２１ａが形成されている。この貫通口２１ａは、図７に示すように、メインセット２１の閉塞状態で蓋１７の挿通口１７ｄに対向するものであり、両信号線３３および両電源線３４は挿通口１７ｄを通して蓋１７の後方へ引出された後、貫通口２１ａ内を通してメインセット２１の後方へ引出されている。
【００２６】
メインセット２１の後面には中継基板３６が固定されており、中継基板３６の後面および前面にはコネクタ３６ａおよび３６ｂが搭載されている。また、両信号線３３および両電源線３４の先端部にはコネクタ３７が接続されている。このコネクタ３７は中継基板３６の後面のコネクタ３６ａに嵌合されており、両信号線３３および両電源線３４はコネクタ３７，コネクタ３６ａ，中継基板３６の回路パターンを通してコネクタ３６ｂに接続されている。
【００２７】
中継基板３６の前面のコネクタ３６ｂにはコネクタ３８ａが嵌合されている。このコネクタ３８ａには４本のコード線３８（１本のみ図示する）の一端部が接続されており、２本のコード線３８はコネクタ３８ａ，３６ｂ，３６ａ，３７を通して信号線３３に接続され、残り２本のコード線３８はコネクタ３８ａ，３６ｂ，３６ａ，３７を通して電源線３４に接続されている。
【００２８】
蓋１７の後面には、図９の（ａ）に示すように、ヒンジ金具２０の反対側に位置して賞球回路ボックス３９がねじ止めされている。この賞球回路ボックス３９内には賞球回路基板４０が収納されており、賞球回路基板４０には、図７に示すように、４本のコード線３８の他端部が接続されている。このうち２本のコード線３８は賞球回路基板４０の回路パターンを介して直流電源に接続されており、発射モータ２８の各相のステータコイルには２本のコード線３８，２本の電源線３４，コントロール基板３２，２本のコード線２９を通して直流電源が与えられる。
【００２９】
中枠１３の前面には、図５に示すように、右下隅部に位置してハンドル受け４１が固定されており、ハンドル受け４１には発射ハンドル４２が回動可能に装着されている。また、ハンドル受け４１内には回転量センサ（図示せず）が収納されている。この回転量センサは、発射ハンドル４２の操作量に応じた電気信号を出力するポテンショメータ等からなるものであり、回転量センサは賞球回路基板４０にコード線（図示せず）を介して接続され、回転量センサからの出力信号は賞球回路基板にコード線を通して与えられる。
【００３０】
ハンドル受け４１には電気部品に相当するタッチセンサ（図示せず）が装着されている。このタッチセンサは、遊技者が発射ハンドル４２に触れたことを検出するものであり、ハンドル受け４１の後面には３端子形のコネクタ（図示せず）が固定され、コネクタの各端子はタッチセンサに接続されている。また、ハンドル受け４１のコネクタには、図４に示すように、３端子形のコネクタ４１ａが嵌合され、タッチセンサはハンドル受け４１のコネクタを介してコネクタ４１ａの各端子に接続されている。
【００３１】
コネクタ４１ａの各端子にはコード線４１ｂが接続されている。これら各コード線４１ｂはコントロール基板３２のコネクタ３１に接続されており、タッチセンサからの出力信号は２本のコード線４１ｂ，コントロール基板３２の回路パターン，２本の信号線３３，中継基板３６の回路パターン，２本のコード線３８を通して賞球回路基板４０の回路パターンに与えられる。
【００３２】
賞球回路基板４０にはモータ制御回路（図示せず）が搭載されている。このモータ制御回路はマイクロコンピュータを主体に構成されたものであり、２本の信号線３３を通して与えられる信号に基づいて遊技者が発射ハンドル４２に触れたことを検出すると、電線線３４を通して発射モータ２８に電源を与える。また、発射モータ２８の回転軸には打球槌（図示せず）がクランク部材を介して連結されており、発射モータ２８が作動すると、打球槌が打球動作を行い、上皿２７内のパチンコ球が遊技盤１６内に打出される。
【００３３】
尚、モータ制御回路は、回転量センサからの出力信号に基づいて発射ハンドル４２の操作量を検出し、発射ハンドル４２の操作量に応じて発射モータ２８に与える電源電圧を調整する。これにより、発射モータ２８の回転速度および回転トルクを調整し、上皿２７内のパチンコ球を発射モータ２８の回転速度および回転トルクに応じた勢いで遊技盤１６内に弾き出す。
【００３４】
メインセット２１の後面には、図９の（ａ）に示すように、上端部に位置して賞球タンク４７が固定されており、賞球タンク４７内にはパチンコ球が貯溜されている。また、メインセット２１の後面にはタンクレール４３が固定されており、タンクレール４３の一端部は賞球タンク４７内に通じている。また、メインセット２１には球通路４４が形成されている。この球通路４４はタンクレール４３の他端部に通じており、賞球タンク４２内のパチンコ球はタンクレール４３内および球通路４４内に充填されている。
【００３５】
機構盤１４には、ヒンジ金具２０側に位置して賞球払出装置４５が装着されている。この賞球払出装置４５は払出ソレノイド（図示せず）を駆動源とするものであり、賞球払出装置４５内には球通路４４内を流下したパチンコ球が充填されている。また、賞球回路基板４０には賞球払出回路（図示せず）が搭載されており、遊技盤１６内に打出されたパチンコ球が遊技盤１６の大入賞口（図示せず）内に入賞すると、賞球払出回路から電源線（図示せず）を通して払出ソレノイドに電源が与えられる。すると、賞球払出装置４５が作動し、賞球払出装置４５内からパチンコ球が送り出される。
【００３６】
メインセット２１には賞球払出装置４５と上皿２７とを繋ぐ上皿用球通路（図示せず）が形成されており、賞球払出装置４５から送り出されたパチンコ球は上皿用球通路を通して上皿２７内に供給される。また、外枠１１には、図５に示すように、上皿２７の下方に位置して下皿４６が固定されている。そして、メインセット２１には、上皿用球通路と下皿２８とを繋ぐ下皿用球通路（図示せず）が形成されており、上皿２７内から溢れたパチンコ球は下皿用球通路を通して下皿４６内に供給される。
【００３７】
機構盤１４の下方板１４ｂには、図１の（ａ）に示すように、前面が開口する凹状のスピーカ収納部１４ｏが一体形成されている。このスピーカ収納部１４ｏ内にはスピーカ（図示せず）が収納されており、遊技中には、スピーカから各種の効果音が出力される。
【００３８】
上記実施例によれば、信号線３３および電源線３４を機構盤１４の凹部１４ｉ内に収納したので、図８に示すように、信号線３３および電源線３４に邪魔されることなく、メインセット２１を後方へ開放操作できる。しかも、凹部１４ｉ内の信号線３３および電源線３４をリブ１４ｋ，１４ｎにより支えた。このため、信号線３３および電源線３４の上下方向へのずれ動きが抑えられるので、凹部１４ｉ内で信号線３３相互間，電源線３４相互間，信号線３３および電源線３４相互間が絡まることが防止される。これと共に、信号線３３および電源線３４の凹部１４ｉ内での経路が決まるので、凹部１４ｉ内にスピーカを収納する際にスピーカの設置場所を設計的に決め易くなる。
【００３９】
また、信号線３３および電源線３４の外周面に２個の結束バンド３５を装着し、一方の結束バンド３５を楕円形状のリブ１４ｎにより係止し、他方の結束バンド３５を縦長なリブ１４ｋにより係止したので、信号線３３および電源線３４の左右方向へのずれ動きが抑えられる。しかも、蓋１７にボス部１７ｃを形成し、挿通口１４ｍの後面開口部をボス部１７ｃにより塞いだので、信号線３３および電源線３４の前後方向へのずれ動きが抑えられる。
【００４０】
また、機構盤１４の挿通口１４ｍを凹部１４ｉと同方向へ開口する切欠状に形成したので、凹部１４ｉの後面開口部を通して挿通口１４ｍ内に信号線３３および電源線３４を挿入した後、凹部１４ｉに蓋１７を被せるだけで、信号線３３および電源線３４が凹部１４ｉ内にずれ止め状態で収納される。このため、縫い針の目孔に糸を通すような面倒な作業を行う必要がなくなるので、信号線３３および電源線３４の組付作業性が向上する。しかも、信号線３３および電源線３４を蓋１７，挿通口１４ｍの内面により２重にずれ止めできるので、信号線３３および電源線３４のずれ動きが一層抑えられる。
【００４１】
また、蓋１７の左右両端部に挿通口１７ｂおよび１７ｄを形成した。このため、信号線３３および電源線３４の左右両端部を挿通口１７ｂおよび１７ｄの内面によりずれ止めできるので、この点からも、信号線３３および電源線３４のずれ動きが抑えられる。
【００４２】
尚、上記実施例においては、左右方向に隣接する５枚のリブ１４ｋに貫通口１４ｍを１個ずつ設けたが、これに限定されるものではなく、例えば２個ずつ設け、信号線３３および電源線３４を各リブ１４ｋの別個の挿通口１４ｍ内に嵌合しても良い。
【００４３】
また、上記実施例においては、タッチセンサの信号線３３および発射モータ２８の電源線３４を凹部１４ｉ内に収納したが、これに限定されるものではなく、例えば、遊技盤１６の前面のうちヒンジ金具２０と反対側に配置されたランプ等の電源線を凹部１４ｉ内に収納しても良い。
【００４４】
また、上記実施例においては、リブ１４ｋおよび１４ｎに切欠状の挿通口１４ｍを設けたが、これに限定されるものではなく、例えば孔（内周面の全体がリブにより画定された開口部）状の貫通口を設けても良い。
【００４５】
また、上記実施例においては、凹部１４ｉの後面開口部に蓋１７を被せたが、これに限定されるものではなく、例えば蓋１７を廃止し、凹部１４ｉの後面開口部をメインセット２１により後方から覆っても良い。上記実施例には特許請求の範囲に記載された発明に加えて次のその他発明１〜その他発明４のそれぞれが記載されている。
［その他発明１］
遊技盤が取付けられる取付枠と、この取付枠に設けられ電気部品の導線が収納された導線収納室と、この導線収納室内に設けられ導線収納室内の導線を支える導線支持部材とを備えたことを特徴とするパチンコ機。
上記手段によれば、導線が取付枠の導線収納室内に収納されているので、メインセットを導線に邪魔されることなく容易に開放操作できる。しかも、導線収納室内の導線が導線支持部材により支えられているので、導線の導線収納室内でのずれ動きが抑えられ、導線収納室内で導線相互間が絡まることが防止される。
［その他発明２］
遊技盤が取付けられる取付枠と、この取付枠に設けられ前記遊技盤に略平行な底板を有する凹部と、この凹部内に設けられたリブとを備え、前記凹部内に電気部品の導線が収納され、前記凹部内の導線が挿通される挿通口が前記リブに設けられていることを特徴とするパチンコ機。
上記手段によれば、導線が取付枠の凹部内に収納されているので、メインセットを導線に邪魔されることなく容易に開放操作できる。しかも、凹部内の導線がリブの挿通口内に挿入され、リブにより支えられている。このため、導線の凹部内でのずれ動きが抑えられるので、凹部内で導線相互間が絡まることが防止される。
［その他発明３］
リブの挿通口が凹部と同方向へ開口する切欠状をなし、凹部の開口部に蓋が被せられていることを特徴とするパチンコ機。
上記手段によれば、凹部の開口部を通してリブの挿通口内に導線を嵌合した後、凹部に蓋を被せるだけで、導線が凹部内にずれ止め状態で簡単に収納される。しかも、導線のずれ動きを蓋およびリブにより２重に抑えることができる。
［その他発明４］
導線が挿通される別の挿通口が蓋の左右両端部に設けられていることを特徴とするパチンコ機。
上記手段によれば、導線の左右両端部が蓋の挿通口の内面により係止されるので、導線のずれ動きが一層抑えられる。
【００４６】
【発明の効果】
以上の説明から明らかなように、本発明のパチンコ機は次の効果を奏する。
請求項１記載の手段によれば、導線を機構盤の凹部内に収納したので、メインセットの開放操作が容易になる。しかも、凹部内の導線を挿通口内に挿通したので、導線のずれ動きが抑えられ、凹部内で導線相互間が絡まってしまうことが防止される。
【図面の簡単な説明】
【図１】本発明の一実施例を示す図（ａは機構盤の要部を示す後面図、ｂはＡ−Ａ線に沿う断面図）
【図２】（ａ）は蓋を示す後面図、（ｂ）はＢ−Ｂ線に沿う断面図
【図３】機構盤の要部を蓋の装着状態で示す後面図
【図４】機構盤の要部を蓋およびメインセットの装着状態で示す後面図
【図５】全体構成を示す前面図
【図６】（ａ）は機構盤を示す前面図、（ｂ）は機構盤を示す後面図
【図７】導線の経路をメインセットの閉塞状態で示す上面図
【図８】導線の経路をメインセットの開放状態で示す上面図
【図９】（ａ）は中枠，機構盤，メインセットを示す後面図、（ｂ）はＣ−Ｃ線に沿う断面図
【図１０】従来例を示す図
【符号の説明】
１４は機構盤（取付枠）、１４ｂは下方板（底板）、１４ｉは凹部（導線収納室）、１４ｋおよび１４ｎはリブ（導線支持部材）、１４ｍは挿通口、１６は遊技盤、１７は蓋、１７ｂおよび１７ｄは挿通口、３３は信号線（導線）、３４は電源線（導線）を示す。
【図１】
0004106672.tif 000002
【図２】
0004106672.tif 000003
【図３】
0004106672.tif 000004
【図４】
0004106672.tif 000005
【図５】
0004106672.tif 000006
【図６】
0004106672.tif 000007
【図７】
0004106672.tif 000008
【図８】
0004106672.tif 000009
【図９】
0004106672.tif 000010
【図１０】
0004106672.tif 000011